(57)【要約】【課題】内向片を折り曲げるときにコーナー部が破断しないようにする切欠のために耐候性能が低下しない採光部付き建具体とする。【解決手段】面外方向に対向した一対の表面パネル３と、この一対の表面パネル３の開口部１０間に設けた透光パネル４と、前記開口部１０の周縁に沿った内向片１１に設けられて透光パネル４を保持するパネル押え５を備え、前記表面パネル３の内向片１１のコーナー部１１ａには切欠１２を有し、前記内向片１１のコーナー部１１ａにコーナー部品２０を設けて切欠１２を覆うようにし、その切欠１２によって耐候性能が低下しないようにする。【選択図】図６
2010084423.tif 000002
【特許請求の範囲】
【請求項１】
面外方向に離隔し、採光用の開口部を備えた金属製の一対の表面パネルと、透光パネルと、パネル押えを備え、
前記表面パネルは、前記採光用の開口部の周縁に沿って内向片を有すると共に、その内向片のコーナー部には切欠を有し、
前記内向片に前記パネル押えを設けることで透光パネルを一対の表面パネル間に保持して採光部とし、
前記内向片のコーナー部にコーナー部品を、前記切欠を覆うように取付けたことを特徴とする採光部付き建具体。
【請求項２】
前記切欠は、内向片の突出端面に開口し、この切欠の深さは内向片の幅よりも小さく、内向片のコーナー部における表面パネル寄りが残存している請求項１記載の採光部付き建具体。
【請求項３】
前記内向片に設けたパネル押えは、内向片のコーナー部の切欠を境として離隔し、
前記コーナー部品は、離隔した２つのパネル押えに跨って接するようにした請求項１又は２記載の採光部付き建具体。
【請求項４】
前記パネル押えは、内向片の表面に接すると共に、そのパネル押えの面外方向の端面は表面パネルの表面と離隔して段差を形成し、
前記コーナー部品は、隣接したパネル押えの表面に跨って接すると共に、内向片のコーナー部及び前記段差部に接するようにした請求項３記載の採光部付き建具体。
【発明の詳細な説明】
【技術分野】
【０００１】
本発明は、玄関ドアの扉、フラッシュドア、室内間仕切り、建物外壁の開口部に取付けられる明り採り用窓などの採光部付き建具体に関する。
【背景技術】
【０００２】
従来、採光部付き建具体の１種であるフラッシュドアとしては、特許文献１に開示されたように、採光用の開口部の周縁に沿って内向片（フランジ代）を有した一対の金属製の表面パネルと、ガラス板を備え、前記一対の表面パネル間にガラス板を配設し、前記各内向片とガラス板との間にガラス押え（パッキンゴム）を設けてガラス板を保持して一対の表面パネル間に取付けることで採光部としたフラッシュドアが知られている。
【特許文献１】特許第２８５７３８９号公報
【発明の開示】
【発明が解決しようとする課題】
【０００３】
前述した従来のフラッシュドアの表面パネルは次のようにして作製している。
前記表面パネルに、採光用の開口部よりも小さな開口を形成し、その開口の周縁部分を内側に向けて折り曲げ加工（絞り加工）して四週連続した内向片を有した表面パネルとしている。
しかしながら、前述のように折り曲げ加工する際に、内向片のコーナー部が破断することがあるので、前述した従来のフラッシュドアにおいては、内向片のコーナー部に切欠を設けて内側に向けて折り曲げ加工することで、内向片のコーナー部が破断しないようにしている。
【０００４】
前述のようにすると、内向片のコーナー部の切欠のためにフラッシュドアの耐候性能が低下してしまう。
【０００５】
本発明の目的は、内向片を折り曲げ加工するときに、内向片のコーナー部が破断しないようにする切欠のために、耐候性能が低下することがないようにした採光部付き建具体とすることである。
【課題を解決するための手段】
【０００６】
本発明は、面外方向に離隔し、採光用の開口部を備えた金属製の一対の表面パネルと、透光パネルと、パネル押えを備え、
前記表面パネルは、前記採光用の開口部の周縁に沿って内向片を有すると共に、その内向片のコーナー部には切欠を有し、
前記内向片に前記パネル押えを設けることで透光パネルを一対の表面パネル間に保持して採光部とし、
前記内向片のコーナー部にコーナー部品を、前記切欠を覆うように取付けたことを特徴とする採光部付き建具体である。
【０００７】
本発明においては、前記切欠は、内向片の突出端面に開口し、この切欠の深さは内向片の幅よりも小さく、内向片のコーナー部における表面パネル寄りが残存しているようにできる。
このようにすれば、内向片のコーナー部における残存部分にコーナー部品を接することができるので、そのコーナー部品で切欠を確実に覆って耐候性能の低下をより確実に防止できる。
【０００８】
本発明においては、前記内向片に設けたパネル押えは、内向片のコーナー部の切欠を境として離隔し、
前記コーナー部品は、離隔した２つのパネル押えに跨って接するようにできる。
このようにすれば、パネル押えを隣接したコーナー部間の内向片にそれぞれ設ければ良く、コーナー部には設けないので、パネル押えを簡単に内向片に設けることができる。
また、離隔したパネル押えはコーナー部品で連続するので、耐候性能が低下することがない。
【０００９】
本発明においては、前記パネル押えは、内向片の表面に接すると共に、そのパネル押えの面外方向の端面は表面パネルの表面と離隔して段差を形成し、
前記コーナー部品は、隣接したパネル押えの表面に跨って接すると共に、内向片のコーナー部及び前記段差部に接するようにできる。
このようにすれば、隣接したパネル押え、内向片の表面、内向片のコーナー部にコーナー部品が確実に接し、切欠によって耐候性能の低下を確実に防止できる。
【発明の効果】
【００１０】
本発明によれば、内向片のコーナー部に切欠を有するので、その内向片を折り曲げ加工するときに、内向片のコーナー部が破断しないようにできる。
また、前記切欠はコーナー部品で覆われているので、前記切欠のために耐候性能が低下することがない。
【発明を実施するための最良の形態】
【００１１】
図１に示すように、枠体１に扉２を開閉自在に取付けて建具としてある。
前記枠体１は、上枠１ａ、下枠１ｂ、左右の縦枠１ｃを方形状に連結してある。
前記扉２は、親扉２−１と子扉２−２を備え、各扉は採光部２ａを有し、本発明の採光部付き建具体である。
【００１２】
前記扉２（親扉２−１、子扉２−２）は、図２、図３に示すように面外方向に離隔した金属製の一対の表面パネル３，３と、ガラス板などの透光パネル４と、この透光パネル４を一対の表面パネル３間に保持する面外方向両側に設けた弾性を有したパネル押え５を備えている。
前記一対の表面パネル３は、採光用の開口部１０を有すると共に、その開口部１０の周縁に沿った内向片１１を四周連続して有する。
前記内向片１１のコーナー部には切欠１２が形成され、この内向片１１を後述するように折り曲げ加工するときに、内向片１１のコーナー部が破断しないようにしてある。
【００１３】
前記パネル押え５は、各内向片１１に設けられ、透光パネル４の面外方向の両面に接して透光パネル４を一対の表面パネル３間に保持して取付けている。
前記パネル押え５は各内向片１１ごとに別々で、内向片１１のコーナー部において切欠１２を境として離隔している。これにより、パネル押え５はコーナー部に設けないので、内向片１１に簡単に設けることができる。
前記内向片１１のコーナー部には、コーナー部品２０が取付けてある。
このコーナー部品２０は内向片１１のコーナー部と、隣接したパネル押え５とに亘って接して前記切欠１２を覆っていると共に、隣接したパネル押え５を連続している。
【００１４】
このようであるから、前述の切欠１２のために扉２の耐候性能が低下することがない。
【００１５】
次に、各部の詳細を説明する。
図４に示すように、内向片１１は表面パネル３の裏面３ａに向けて突出していると共に、表面パネル３と内向片１１は９０度となっている。
また、このコーナー部１１ａを境として隣接した内向片１１は９０度となっている。
この内向片１１の突出端面（表面パネル３と離れた端面）１１ｂと表面パネル３の裏面３ａとの間の寸法が内向片１１の幅（表面パネル３の曲げ幅）Ｈ１である。
前記内向片１１は四周連続し、そのコーナー部１１ａに前記切欠１２を有する。
この切欠１２の深さＬ（面外方向の長さ）は、前記内向片１１の幅Ｈ１よりも小さく、前記コーナー部１１ａにおいて内向片１１の表面パネル３寄り部分が残存し、その残存部分の幅Ｈ２はＨ１−Ｌである。
【００１６】
このようにすることで、内向片１１のコーナー部１１ａにおける残存部分にコーナー部品２０を接し、そのコーナー部品２０で切欠１２を確実に覆って耐候性能の低下を確実に防止できる。
【００１７】
前記コーナー部１１ａにおいて内向片１１の残存部分の幅Ｈ２は、内向片１１の幅Ｈ１が異なっても常に同一とする。つまり、切欠１２の深さＬを変える。
このようにすることで、内向片１１の幅Ｈ１が変化しても内向片１１のコーナー部１１ａの曲げ半径を一定とすることができる。
【００１８】
前記パネル押え５は矩形状の基部５ａと、この基部５ａの面内方向の一端に設けた矩形状で面外方向に向かう表面部５ｂとで断面鉤形状の長尺材で、その表面部５ｂの面内方向内側面５ｃと連続して溝５ｄが長手方向全長に亘って形成してある。
前記コーナー部品２０は一側片２１と他側片２２で鉤形状で、その一側片２１の面外方向一端と他側片２２の面外方向他端に亘って一体に設けた一側外向突部２３と他側外向突部２４を有し、この一側外向突部２３と他側外向突部２４は連続して鉤形状である。
【００１９】
そして、図５に示すように、コーナー部１１ａを境として一方の内向片１１と他方の内向片１１にパネル押え５の溝５ｄを嵌め込んで取付ける。
これにより、パネル押え５の表面部５ｂの面内方向内側面５ｃが内向片１１の表面（表面パネル３の表面３ｂと連続した面）１１ｃに接し、その表面部５ｂの面外方向端面５ｅが表面パネル３の表面３ｂと離隔して段差を形成する。
前記パネル押え５は切欠１２と離れている。
【００２０】
前記コーナー部品２０を図６に示すように、隣接した２つのパネル押え５に跨って接すると共に、内向片１１のコーナー部１１ａに接する。
具体的には、一側片２１と他側片２２を一対のパネル押え５の表面部５ｂの面内方向外側面５ｆに接すると共に、一側外向突部２３と他側外向突部２４をパネル押え５の表面部５ｂの面外方向端面５ｅと内向片１１の表面１１ｃとの段差部及び内向片１１のコーナー部１１ａに接する。
【００２１】
これによって、隣接したパネル押え５、内向片１１の表面１１ｃ、内向片１１のコーナー部１１ａにコーナー部品２０が確実に接し、切欠１２によって耐候性能が低下することを確実に防止できる。
【００２２】
次に、前記内向片１１の折り曲げ加工を説明する。
図７に示すように、表面パネル３に開口部１０よりも小さな開口１３を形成し、その開口１３のコーナー部１３ａに切欠部１４を形成する。
前記表面パネル３を開口１３の周縁（開口部１０と開口１３との間の部分）を内側に向けて折り曲げ加工して四周連続した内向片１１を形成すると共に、そのコーナー部１１ａに切欠１２を有した表面パネル３とする。
【００２３】
前述のパネル押え５はガスケット（ビート）としても良いし、四周連続しても良い。
また、建具の扉に限ることはなく、室内間仕切り、建物躯体の開口部に明り採りとして取り付ける明り採り用窓や、フラッシュドアなどにも利用できることは勿論である。
【図面の簡単な説明】
【００２４】
【図１】建具の外観図である。
【図２】採光部の拡大正面図である。
【図３】図２のＡ−Ａ断面図である。
【図４】表面パネルのコーナー部とパネル押えとコーナー部品の分解斜視図である。
【図５】表面パネルのコーナー部にパネル押えを取付けた状態の斜視図である。
【図６】表面パネルのコーナー部にパネル押えとコーナー部品を取付けた状態の斜視図である。
【図７】表面パネルの内向片の折り曲げ説明図である。
【符号の説明】
【００２５】
２ａ…採光部、３…表面パネル、４…透光パネル、５…パネル押え、１０…開口部、１１…内向片、１１ａ…コーナー部、１２…切欠、２０…コーナー部品。
【図１】
2010084423.tif 000003
【図２】
2010084423.tif 000004
【図３】
2010084423.tif 000005
【図４】
2010084423.tif 000006
【図５】
2010084423.tif 000007
【図６】
2010084423.tif 000008
【図７】
2010084423.tif 000009